(57)【特許請求の範囲】
【請求項１】
電子ペーパーと前記電子ペーパーを認証する認証装置とを備えた情報表示装置であって、
一方が前記電子ペーパーに備えられ他方が前記認証装置に備えられた第１および第２の位置検知手段であって、前記電子ペーパーと前記認証装置とが少なくとも一部分重ねられた場合に、前記電子ペーパーと前記認証装置との間の相対的な位置および重なり状態を、前記第１および第２の位置検知手段の一方の前記電子ペーパーにおける位置、および、前記第１および第２の位置検知手段の他方の前記認証装置における位置に基づき、協働して検知する第１および第２の位置検知手段と、
前記認証装置に備えられ、前記第１および第２の位置検知手段により検知された相対的な位置および重なり状態に基づき認証処理を行い、認証処理結果に基づいて、前記電子ペーパーに制御信号を送出する判断処理手段と、
前記電子ペーパーに備えられ、前記制御信号に応じて、前記電子ペーパーに表示する情報を切り替える情報表示手段とを備える
ことを特徴とする情報表示装置。
【請求項２】
請求項１に記載の情報表示装置において、
前記情報表示手段は、前記制御信号に応じて、前記電子ペーパーへの情報の表示および非表示を切り替える
ことを特徴とする情報表示装置。
【請求項３】
請求項１に記載の情報表示装置であって、
前記電子ペーパーまたは前記認証装置は、変形可能な曲面部分を有し、
前記曲面部分が変形することにより、前記第１および第２の位置検知手段の位置関係が変化する
ことを特徴とする情報表示装置。
【請求項４】
請求項１に記載の情報表示装置において、
前記電子ペーパーに前記第１および第２の位置検知手段の一方としての複数のＲＦＩＤタグが備えられ、前記認証装置に前記第１および第２の位置検知手段の他方としての複数のＲＦＩＤタグリーダが備えられ、
前記複数のＲＦＩＤタグから出力された信号の中のいずれかの信号を、前記複数のＲＦＩＤタグリーダのいずれかが検出し、
前記判断処理手段が、前記複数のＲＦＩＤタグリーダのいずれかが検出した前記信号が前記電子ペーパーが正しく前記認証装置に重ねられた場合における前記電子ペーパーと前記認証装置との間の相対的な位置および重なり状態と合致する場合に、前記電子ペーパーの位置を認証する
ことを特徴とする情報表示装置。
【請求項５】
請求項１に記載の情報表示装置において、
前記電子ペーパーに前記第１および第２の位置検知手段の一方としての複数の発光ダイオードが備えられ、前記認証装置に前記第１および第２の位置検知手段の他方としての複数の光センサーが備えられ、
前記複数の発光ダイオードから出力された信号の中のいずれかの信号を、前記複数の光センサーのいずれかが検出し、
前記判断処理手段が、前記複数の光センサーのいずれかが検出した前記信号が前記電子ペーパーが正しく前記認証装置に重ねられた場合における前記電子ペーパーと前記認証装置との間の相対的な位置および重なり状態と合致する場合に、前記電子ペーパーの位置を認証する
ことを特徴とする情報表示装置。
【請求項６】
請求項１に記載の情報表示装置において、
前記情報表示手段が、前記認証装置を重ねるべき領域を示す画像である配置画像を前記電子ペーパー上に表示し、
前記判断処理手段が、前記電子ペーパーの前記配置画像が表示される領域に前記認証装置が重ねられた場合に、前記電子ペーパーに前記制御信号を送出する
ことを特徴とする情報表示装置。
【請求項７】
請求項１に記載の情報表示装置において、
前記判断処理手段が、さらに、前記電子ペーパー又は前記認証装置についての機器認証処理を行い、前記認証処理結果と前記機器認証処理結果とに基づいて、前記制御信号を送出する
ことを特徴とする情報表示装置。
【請求項８】
電子ペーパーと前記電子ペーパーを認証する認証装置とを備えた情報表示装置における情報表示方法であって、
一方が前記電子ペーパーに備えられ他方が前記認証装置に備えられた第１および第２の位置検知手段が、前記電子ペーパーと前記認証装置とが少なくとも一部分重ねられた場合に、前記電子ペーパーと前記認証装置との間の相対的な位置および重なり状態を、前記第１および第２の位置検知手段の一方の前記電子ペーパーにおける位置、および、前記第１および第２の位置検知手段の他方の前記認証装置における位置に基づき、協働して検知し、
前記認証装置に備えられた判断処理手段が、前記第１および第２の位置検知手段により検知された相対的な位置および重なり状態に基づき認証処理を行い、認証処理結果に基づいて、前記電子ペーパーに制御信号を送出し、
前記電子ペーパーに備えられた情報表示手段が、前記制御信号に応じて、前記電子ペーパーに表示する情報を切り替える
ことを特徴とする情報表示方法。
【発明の詳細な説明】
【技術分野】
【０００１】
本発明は、情報表示装置及び情報表示方法に関し、特に、簡便な操作でセキュリティ確保のための認証を行って、電子ペーパー上へ情報を表示し、又は電子ペーパー上に表示された情報を非表示にする情報表示装置及び情報表示方法に関する。
【背景技術】
【０００２】
近年、紙の長所と電子ディスプレイの長所とを併せ持つ電子ペーパーが研究開発されてきている。電子ペーパー上に情報を表示した状態にしておくと、他者の目に触れ、情報が漏洩してしまう危険がある。例えば、電子ペーパーを本社から営業所等に持ち運ぶ場合や、電子ペーパーを家に持ち込んで在宅業務を実施する場合に、移動途中で電子ペーパーを紛失したり、盗難にあう危険がある。その時、機密データが電子ペーパー上に表示されているか、又はその内容を容易に表示できる仕組みになっていると、情報漏洩してしまう危険がある。【０００３】
個人情報が記載された履歴書、契約書、アンケート、カルテ等、不用意に他者の目に触れないように扱う文書は多い。近い将来、電子ペーパーが汎用的に流通するようになった場合、情報が常に表示された状態になる紙に対して、必要に応じて情報を非表示にすることが可能な電子ペーパーのニーズが多くなると考えられることから、セキュリティ機能を持った電子ペーパーが研究されてきている。セキュリティ機能を持った電子ペーパーでは、例えば、パスワード入力、生体認証等の認証操作を行った上で、保存された情報の表示指示を行う。【０００４】
なお、下記の特許文献１は、登録した秘密データを外部へ送出する場合に認証操作を要求し、認証が正しい場合にのみ秘密データを外部へ送出できるようにする電子ペーパーについて記載している。
【特許文献１】特開２００５−１１５５３０号公報
【発明の開示】
【発明が解決しようとする課題】
【０００５】
本発明者の検討したところによれば、電子ペーパー上に情報を表示したり、電子ペーパー上に表示された情報を非表示にしたりする際の認証操作は、なるべく簡便な操作である事が望ましい。電子ペーパーが薄い形状を有している点や、電子ペーパーが一般のＰＣ（Personal Computer)より低価格になり得ることを考慮すると、電子ペーパーは、将来、全ての人々が利用する可能性がある。誰もが利用する電子ペーパーであれば、情報の参照操作が実施し易くなければならず、また、セキュリティを確保するための認証操作は簡便であることが要求される。【０００６】
また、本発明者の検討したところによれば、従来の電子ペーパーは、セキュリティ確保のために、パスワードによる認証や、電子ペーパーのユーザの生体情報を用いた生体認証等を行っているため、キーボード等からのパスワード入力又は煩雑な生体情報等の事前登録等が必要であり、利便性が阻害されるという問題がある。そこで、電子ペーパー上に情報を表示したり、電子ペーパー上に表示された情報を非表示にしたりする際の認証操作を簡便に行う仕組みが求められる。【０００７】
本発明は、簡便な操作でセキュリティ確保のための認証を行って、認証結果に応じて電子ペーパーへの情報の表示又は非表示を行う情報表示装置の提供を目的とする。【０００８】
また、本発明は、簡便な操作でセキュリティ確保のための認証を行って、認証結果に応じて電子ペーパーへの情報の表示又は非表示を行う情報表示方法の提供を目的とする。
【課題を解決するための手段】
【０００９】
本発明の情報表示装置は、電子ペーパーと前記電子ペーパーを認証する認証装置とを備えた情報表示装置であって、一方が前記電子ペーパーに備えられ他方が前記認証装置に備えられた第１および第２の位置検知手段であって、前記電子ペーパーと前記認証装置とが少なくとも一部分重ねられた場合に、前記電子ペーパーと前記認証装置との間の相対的な位置および重なり状態を、前記第１および第２の位置検知手段の一方の前記電子ペーパーにおける位置、および、前記第１および第２の位置検知手段の他方の前記認証装置における位置に基づき、協働して検知する第１および第２の位置検知手段と、前記認証装置に備えられ、前記第１および第２の位置検知手段により検知された相対的な位置および重なり状態に基づき認証処理を行い、認証処理結果に基づいて、前記電子ペーパーに制御信号を送出する判断処理手段と、前記電子ペーパーに備えられ、前記制御信号に応じて、前記電子ペーパーに表示する情報を切り替える情報表示手段とを備える。
【００１０】
また、好ましくは、本発明の情報表示装置において、前記情報表示手段が、前記認証装置を重ねるべき領域を示す画像である配置画像を前記電子ペーパー上に表示し、前記判断処理手段が、前記電子ペーパーの前記配置画像が表示される領域に前記認証装置が重ねられた場合に、前記電子ペーパーに前記制御信号を送出する。
【００１１】
また、好ましくは、本発明の情報表示装置において、前記情報表示手段が、さらに、前記送出された制御信号に基づいて、表示されている文字情報又は画像情報を非表示にする。【００１２】
また、好ましくは、本発明の情報表示装置において、前記判断処理手段が、さらに、前記電子ペーパー又は前記認証装置についての機器認証処理を行い、前記位置認証処理結果と前記機器認証処理結果とに基づいて、前記制御信号を送出する。【００１３】
また、本発明の情報表示方法は、電子ペーパーと前記電子ペーパーを認証する認証装置とを備えた情報表示装置における情報表示方法であって、一方が前記電子ペーパーに備えられ他方が前記認証装置に備えられた第１および第２の位置検知手段が、前記電子ペーパーと前記認証装置とが少なくとも一部分重ねられた場合に、前記電子ペーパーと前記認証装置との間の相対的な位置および重なり状態を、前記第１および第２の位置検知手段の一方の前記電子ペーパーにおける位置、および、前記第１および第２の位置検知手段の他方の前記認証装置における位置に基づき、協働して検知し、前記認証装置に備えられた判断処理手段が、前記第１および第２の位置検知手段により検知された相対的な位置および重なり状態に基づき認証処理を行い、認証処理結果に基づいて、前記電子ペーパーに制御信号を送出し、前記電子ペーパーに備えられた情報表示手段が、前記制御信号に応じて、前記電子ペーパーに表示する情報を切り替える。
【発明の効果】
【００１４】
本発明の情報表示装置及び情報表示方法は、電子ペーパーと認証装置とが少なくとも一部分重ねられた場合において、電子ペーパーと認証装置との間の相対的な位置および重なり状態が所定の関係にあるときに、電子ペーパーに表示する情報を切り替える。従って、電子ペーパーと認証装置とを少なくとも一部分重ねることで、電子ペーパー上又は認証装置上に情報を表示することができる。この結果、電子ペーパーと認証装置とを重ねるという簡便な操作でセキュリティ確保のための認証を行って、認証結果に応じて電子ペーパーへの情報の表示を行うことが可能となる。また、電子ペーパーと認証装置との位置関係を所定の相対的な位置および重なり状態とした場合にのみ電子ペーパーに情報を表示するので、セキュリティ強度を高くすることができ、情報漏洩が生ずる危険を少なくすることができる。
【００１５】
また、本発明の情報表示装置は、配置画像を電子ペーパー上又は認証装置上に表示し、配置画像に認証装置又は電子ペーパーが重ねられた場合に、電子ペーパー上又は認証装置上に文字情報又は画像情報を表示する。従って、情報表示装置のユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。また、電子ペーパーを認証装置に単純に重ねただけでは、電子ペーパー上又は認証装置上に情報が表示されないようにすることができる。従って、例えば、ユーザが、電子ペーパーと認証装置とを重ねて、カバン、袋、引き出し又は保存用のバインダー等に保管収容しようとする際に、ユーザの意志に反して電子ペーパーに情報が表示されることがないようにすることができる。【００１６】
また、本発明の情報表示装置は、電子ペーパーと認証装置とが重ねられた場合において、電子ペーパーと認証装置との相対的な位置が所定の関係にあるときに、電子ペーパー上又は認証装置上に表示されている文字情報又は画像情報を非表示にする。従って、電子ペーパーと認証装置とを重ねるという簡便な操作でセキュリティ確保のための認証を行って、認証結果に応じて電子ペーパー上又は認証装置上に表示されている情報を非表示にすることが可能となる。【００１７】
また、本発明の情報表示装置は、電子ペーパー又は認証装置についての位置認証処理結果と機器認証処理結果とに基づいて、電子ペーパー上又は認証装置上に文字情報又は画像情報を表示する。従って、上記機器認証処理の結果、偽造された電子ペーパー又は認証装置は認証されない。この結果、本発明の情報表示装置によれば、情報漏洩が生ずる危険をさらに少なくすることができる。
【図面の簡単な説明】
【００１８】
【図１】本発明のシステム構成の一例を示す図である。
【図２】判断処理手段の機能の一例を説明する図である。
【図３】判断処理手段の機能の一例を説明する図である。
【図４】判断処理手段の機能の一例を説明する図である。
【図５】電子ペーパーへの情報の表示処理の概要を説明する図である。
【図６】電子ペーパーへの情報の非表示処理の概要を説明する図である。
【図７】電子ペーパーの偽造の検出を説明する図である。
【図８】電子ペーパーの偽造の検出を説明する図である。
【図９】本発明の一実施形態によるデータの流れの一例を示す図である。
【図１０】本発明の一実施形態によるデータの流れの別の一例を示す図である。
【図１１】本発明の一実施形態によるデータの流れの別の一例を示す図である。
【図１２】電子ペーパーの構造の一例を示す図である。
【図１３】認証装置の構造の一例を示す図である。
【図１４】電子ペーパーと認証装置の断面の一例を示す図である。
【図１５】ＲＦＩＤタグのＩＤ番号の読み取り処理を説明する図である。
【図１６】位置検知処理の一例を説明する図である。
【図１７】位置検知処理の一例を説明する図である。
【図１８】位置検知処理の一例を説明する図である。
【図１９】電子ペーパーの操作例を説明する図である。
【図２０】電子ペーパーの操作例を説明する図である。
【図２１】電子ペーパーへの位置検知手段の配置例を示す図である。
【図２２】電子ペーパーと認証装置の重ね合わせの例を示す図である。
【図２３】認証装置が曲面を成している場合のＲＦＩＤタグの読み取り処理を説明する図である。
【図２４】認証装置の表示指示情報送出処理フローの一例を示す図である。
【図２５】電子ペーパーの情報表示処理フローの一例を示す図である。
【図２６】電子ペーパーへの情報の表示処理例を説明する図である。
【図２７】本発明の他の実施の形態を示す図である。
【図２８】本発明の他の実施の形態を示す図である。
【符号の説明】
【００１９】
１  情報表示装置
２、１００、１０１、１０２  電子ペーパー
２−１、３−１  表面
２−２、３−２  中面第一層
２−３、３−３  中面第二層
２−４、３−４  裏面
３  認証装置
１０  本人認証装置
２１、２１’、３１  位置検知手段
２１−１、２１−２、２１−３  ＲＦＩＤタグ
２２、２２’、３２  情報表示手段
２３、２３’、３３  判断処理手段
２４、３４  情報記憶手段
２５、３５  情報送受信手段
２６、３６  電力供給手段
２００  無線ＬＡＮカード
２０１  ＴＣＧチップ
２０２  電磁誘導コイル
２１０  機器
２１１  設備の配置図
３００  ユーザ
【発明を実施するための最良の形態】
【００２０】
図１は、本発明のシステム構成の一例を示す図である。情報表示装置１は、電子ペーパー２又は認証装置３に情報を表示し、又は、電子ペーパー２又は認証装置３に表示された情報を非表示にする処理装置である。情報表示装置１は、電子ペーパー２と電子ペーパー２を認証する認証装置３とからなる。情報表示装置１は、第１及び第２の位置検知手段（位置検知手段２１及び位置検知手段３１）と、判断処理手段（判断処理手段２３又は判断処理手段３３）と、情報表示手段（情報表示手段２２又は情報表示手段３２）とを備える。第１及び第２の位置検知手段は、電子ペーパー２及び認証装置３に備えられ、電子ペーパー２と認証装置３とが重ねられた場合の電子ペーパー２と認証装置３との間の相対的な位置を検知する。判断処理手段は、第１及び第２の位置検知手段によって検知された当該相対的な位置が所定の関係にあるかを判断する位置認証処理を行い、位置認証処理結果に基づいて、電子ペーパー２又は認証装置３に対して制御信号を送出する。情報表示手段は、送出された制御信号に基づいて、電子ペーパー２上又は認証装置３上に文字情報又は画像情報を表示する。【００２１】
この例では、情報表示装置１において、上記情報表示手段（情報表示手段２２又は情報表示手段３２）が、電子ペーパー２と認証装置３とを重ねるべき領域を示す画像である配置画像を電子ペーパー２上又は認証装置３上に表示する。配置画像とは、電子ペーパー２と認証装置３とを重ねるべき領域（又は両者の相対的な位置）を示す配置情報である。この場合、上記判断処理手段（判断処理手段２３又は判断処理手段３３）が、電子ペーパー２の配置画像が表示される領域に認証装置３が重ねられた場合、又は、認証装置３の配置画像が表示される領域に電子ペーパー２が重ねられた場合、電子ペーパー２又は認証装置３に対して制御信号を送出する。すなわち、表示された配置情報に従うように、電子ペーパー２と認証装置３の相対的な位置が定められた場合に、制御信号を送出する。【００２２】
電子ペーパー２は、文書や画像を書き換えて表示することが可能な、紙のように薄い表示媒体である。電子ペーパー２は、位置検知手段２１と情報表示手段２２とを備える。位置検知手段２１は、認証装置３に重ねられた電子ペーパー２の位置を認証装置３に検知させる。情報表示手段２２は、認証装置３の判断処理手段３３又は後述する電子ペーパー２の判断処理手段２３から送出される制御信号（表示指示情報又は非表示指示情報）に基づいて、電子ペーパー２上への文字情報又は画像情報の表示処理、又は、電子ペーパー２上に表示されている文字情報又は画像情報の非表示処理を行う。位置検知手段２１は、電子ペーパー２が認証装置３に重ねられた場合の認証装置３の位置を検知するようにしてもよい。また、表示指示情報とは、文字情報や画像情報の表示を指示する情報であり、非表示指示情報とは、文字情報や画像情報の非表示を指示する情報である。情報表示手段２２は、例えば、表示指示情報に従って、有色の液体と白色微粒子が入ったマイクロカプセルに対して電圧を印加して、白色微粒子を電気泳動させて、情報を表示する。なお、情報表示手段２２は、情報表示手段２２が内蔵するメモリチップ等の記憶手段に記憶された情報を表示するようにしてもよいし、後述する情報記憶手段２４内に記憶された情報を表示するようにしてもよい。また、情報表示手段２２は、電子ペーパー２を認証装置３に重ねる領域を示す画像である配置画像を表示するようにしてもよい。【００２３】
認証装置３は、電子ペーパー２に情報を表示する際、又は、電子ペーパー２に表示された情報を非表示にする際の認証を行う。認証装置３は、位置検知手段３１と判断処理手段３３とを備える。位置検知手段３１は、認証装置３上に重ねられた電子ペーパー２の位置を検知する。判断処理手段３３は、位置検知手段３１によって検知された電子ペーパー２の位置（電子ペーパー２と認証装置３との相対的な位置）が所定の位置であるか（電子ペーパー２と認証装置３との相対的な位置が所定の関係にあるか）を判断する位置認証処理を行い、当該位置認証処理結果に基づいて、電子ペーパー２又は認証装置３の情報表示手段３２に対して制御信号（表示指示情報又は非表示指示情報）を送出する。判断処理手段３３による位置認証処理によって、電子ペーパー２の位置が認証されれば、電子ペーパー２が認証装置３上の所定の位置に正しく配置されたこととなる。位置検知手段３１は、電子ペーパー２が認証装置３に重ねられた場合の認証装置３の位置を電子ペーパー２に検知させるようにしてもよい。なお、本発明の一実施形態によれば、情報表示装置１のユーザは、例えばキーボード等の入力手段（図示を省略）を用いて、認証装置３（の判断処理手段３３）に対して、判断処理手段３３が表示指示情報と非表示指示情報のいずれを制御信号として送出するかを指示する情報を設定することができる。【００２４】
電子ペーパー２が備える位置検知手段２１と認証装置３が備える位置検知手段３１は、例えば、発光ダイオード（ＬＥＤ：Light Emitting Diode）と光センサー、ＲＦＩＤ（Radio Frequency Identification）タグとＲＦＩＤタグリーダ等である。なお、本発明の実施の形態においては、位置検知手段２１又は位置検知手段３１として圧力センサーや磁気センサーを用いてもよい。【００２５】
本発明の一実施形態によれば、図１に示すように、認証装置３が、電子ペーパー２を認証装置３に重ねる領域を示す画像である配置画像を認証装置３上に表示する情報表示手段３２を備えてもよい。また、情報表示手段３２は、電子ペーパー２の判断処理手段２３又は自装置（認証装置３）内の判断処理手段３３から送出された制御信号に基づいて、認証装置３上に文字情報又は画像情報を表示し、又は表示されている文字情報等を非表示にしてもよい。なお、情報表示手段３２は、情報表示手段３２が内蔵するメモリチップ等の記憶手段に記憶された情報を表示するようにしてもよいし、後述する情報記憶手段３４内に記憶された情報を表示するようにしてもよい。【００２６】
また、認証装置３が備える判断処理手段３３は、電子ペーパー２についての機器認証処理を行い、機器認証処理結果と前述した位置認証処理結果とに基づいて、電子ペーパー２又は情報表示手段３２に対して制御信号を送出するようにしてもよい。また、判断処理手段３３は、認証装置３内のハードウェアやソフトウェアの環境状態の認証（環境認証）処理を行い、前述した位置認証処理結果と機器認証処理結果と環境認証処理結果とに基づいて、電子ペーパー２又は情報表示手段３２に対して制御信号を送出するようにしてもよい。また、判断処理手段３３は、電子ペーパー２についての機器認証処理結果と、後述する電子ペーパー２の判断処理手段２３が行う認証装置３についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、電子ペーパー２又は情報表示手段３２に対して制御信号を送出するようにしてもよい。なお、判断処理手段３３は、自装置（認証装置３）についての機器認証処理を行い、当該機器認証処理結果と前述した位置認証処理結果とに基づいて、電子ペーパー２又は情報表示手段３２に対して制御信号を送出するようにしてもよい。【００２７】
また、本発明の一実施形態によれば、図１に示すように、電子ペーパー２が、さらに、判断処理手段２３を備えてもよい。この場合、判断処理手段２３は、位置検知手段２１によって検知された認証装置３の位置（電子ペーパー２と認証装置３との相対的な位置）が所定の位置であるか（電子ペーパー２と認証装置３との相対的な位置が所定の関係にあるか）を判断する位置認証処理を行い、当該位置認証処理結果に基づいて、認証装置３又は電子ペーパー２の情報表示手段２２に対して制御信号（表示指示情報又は非表示指示情報）を送出する。なお、本発明の一実施形態によれば、情報表示装置１のユーザは、例えばキーボード等の入力手段（図示を省略）を用いて、判断処理手段２３が表示指示情報と非表示指示情報のいずれを制御信号として送出するかを示す情報を、判断処理手段２３に設定することができる。判断処理手段２３は、認証装置３についての機器認証処理を行い、機器認証処理結果と前述した位置認証処理結果とに基づいて、認証装置３又は情報表示手段２２に対して制御信号を送出するようにしてもよい。また、判断処理手段２３は、電子ペーパー２内のハードウェアやソフトウェアの環境状態の認証（環境認証）処理を行い、前述した位置認証処理結果と機器認証処理結果と環境認証処理結果とに基づいて、認証装置３又は情報表示手段２２に対して制御信号を送出するようにしてもよい。また、判断処理手段２３は、認証装置３についての機器認証処理結果と、認証装置３の判断処理手段３３が行う電子ペーパー２についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、認証装置３又は情報表示手段２２に対して制御信号を送出するようにしてもよい。なお、判断処理手段２３は、自装置（電子ペーパー２）についての機器認証処理を行い、当該機器認証処理結果と前述した位置認証処理結果とに基づいて、認証装置３又は情報表示手段２２に対して制御信号を送出するようにしてもよい。【００２８】
また、本発明の一実施形態によれば、図１に示すように、電子ペーパー２は、情報記憶手段２４、情報送受信手段２５を備えてもよい。また、認証装置３は、情報記憶手段２４と同様の構成である情報記憶手段３４、情報送受信手段２５と同様の構成である情報送受信手段３５を備えてもよい。情報記憶手段２４は、情報表示手段２２によって表示される情報や、判断処理手段２３が送出する表示指示情報等を記憶する。情報記憶手段２４に記憶される情報は、例えば、文字情報、画像情報、機器ＩＤ情報、表示指示情報、非表示指示情報、配置画像情報等である。機器ＩＤ情報は、電子ペーパー２の識別情報や認証装置３の識別情報である。情報送受信手段２５は、認証装置３から送信される情報（例えば、認証装置３の機器ＩＤ情報、表示指示情報、非表示指示情報、配置画像情報、情報表示手段２２による表示対象である文字情報や画像情報等）を受信し、受信した情報を情報記憶手段２４内に記憶する。また、情報送受信手段２５は、認証装置３に対して情報を送信する。認証装置３に対して送信される情報は、例えば、電子ペーパー２の機器ＩＤ情報、表示指示情報、非表示指示情報、配置画像情報、情報表示手段３２による表示対象である文字情報や画像情報等である。【００２９】
認証装置３が備える情報記憶手段３４は、情報表示手段３２によって表示される情報や、判断処理手段３３が送出する表示指示情報等を記憶する。情報送受信手段３５は、電子ペーパー２から送信される情報を受信し、情報記憶手段３４内に記憶する。また、情報送受信手段３５は、電子ペーパー２に対して情報（例えば、認証装置３の機器ＩＤ情報、表示指示情報、非表示指示情報、配置画像情報、情報表示手段２２による表示対象である文字情報や画像情報等）を送信する。【００３０】
また、本発明の一実施形態によれば、最終的に電子ペーパー２に表示される全ての情報を、電子ペーパー２が備える情報記憶手段２４内に記憶してもよいし、認証装置３が備える情報記憶手段３４内に記憶してもよい。また、最終的に電子ペーパー２に表示される情報を、電子ペーパー２が備える情報記憶手段２４と認証装置３が備える情報記憶手段３４とに分けて記憶してもよい。同様に、本発明の一実施形態によれば、最終的に認証装置３に表示される全ての情報を、認証装置３が備える情報記憶手段３４に記憶してもよいし、電子ペーパー２が備える情報記憶手段２４に記憶してもよい。また、最終的に認証装置３に表示される情報を、認証装置３が備える情報記憶手段３４と電子ペーパー２が備える情報記憶手段２４とに分けて記憶してもよい。【００３１】
なお、図１では図示を省略するが、電子ペーパー２及び認証装置３は、それぞれ、例えば、充電池、小型ボタン電池、太陽電池等の電力供給手段を備えてもよい。【００３２】
上述した電子ペーパー２又は認証装置３が備える各処理手段の機能は、ＣＰＵとその上で実行されるプログラムにより実現される。【００３３】
図２乃至図４は、判断処理手段の機能の一例を説明する図である。ここでは、認証装置３が備える判断処理手段３３の機能を例にとって説明する。電子ペーパー２が備える判断処理手段２３の機能は、判断処理手段３３の機能と同様であるので、説明を省略する。前述したように、判断処理手段３３は、例えば、位置検知手段３１による位置検知結果に基づいて、電子ペーパー２についての位置認証処理を行う。また、判断処理手段３３は、例えば、電子ペーパー２から送信される機器ＩＤ情報に基づいて、電子ペーパー２の機器認証を行う。電子ペーパー２から送信される機器ＩＤ情報は、例えば、電子ペーパー２が備える判断処理手段２３を実現するＴＣＧ（Trusted Computing Group)チップ内に記憶されている。また、判断処理手段３３は、前述したように、例えば、認証装置３内のハードウェアやソフトウェアの環境状態の認証（環境認証）を行う。上述した機能を備える判断処理手段３３は、例えば、上述したＴＣＧチップ等によって実現される。【００３４】
判断処理手段３３は、例えば、図３に示すように、電子ペーパー２の機器認証処理を行う他、情報表示装置１のユーザの本人認証処理を行う本人認証装置１０から送信された本人認証情報（例えば、生体認証情報等）に基づいて、本人認証処理を行い、当該本人認証処理結果に基づいて、情報表示手段３２に対して制御信号を送出するようにしてもよい。また、判断処理手段３３は、例えば、図４に示すように、本人認証装置１０から送信された本人認証情報と位置検知手段３１による位置検知結果に基づいて、本人認証処理を行うようにしてもよい。【００３５】
図５は、電子ペーパーへの情報の表示処理の概要を説明する図である。電子ペーパー２に、文字情報や画像情報等が表示されていない状態を想定する。認証装置３は、図５中に示す配置画像３０を表示する。図中の矢印の先に示すように、ユーザが電子ペーパー２を認証装置３上に表示された配置画像３０の上に正しく重ねると、電子ペーパー２に文字情報や画像情報等が表示される。【００３６】
図６は、電子ペーパーへの情報の非表示処理の概要を説明する図である。電子ペーパー２に、文字情報や画像情報等が表示されている状態を想定する。認証装置３は、図６中に示す配置画像３０を表示する。図中の矢印の先に示すように、ユーザが電子ペーパー２を認証装置３に表示された配置画像３０の上に正しく重ねると、電子ペーパー２に表示されていた文字情報や画像情報等が非表示になる。【００３７】
図７（Ａ）、図７（Ｂ）、図８は、本発明の情報表示装置を用いた、電子ペーパーの偽造の検出を説明する図である。電子ペーパー２が位置検知手段２１と情報処理手段２２とを備え、認証装置３が位置検知手段３１と情報処理手段３２と判断処理手段３３とを備える場合を想定する。また、認証装置３の判断処理手段３３は、位置検知手段３１による位置検知結果に基づいて位置認証処理を行うものとする。図７（Ａ）に示すように、本物の電子ペーパー２から電子ペーパー１００が偽造されたとする。認証装置３の判断処理手段３３による電子ペーパー１００についての位置認証処理結果は、認証（Ａ：Available ）となるため、電子ペーパー１００が偽造されたことを検出できない。【００３８】
本発明の一実施形態によれば、例えば、図７（Ｂ）に示すように、電子ペーパー２が位置検知手段２１と情報表示手段２２に加えて、判断処理手段２３を備える。認証装置３が備える判断処理手段３３は、例えば、位置検知手段３１による位置検知結果に基づいて電子ペーパー２についての位置認証処理を行う他、電子ペーパー２についての機器認証処理を行う。電子ペーパー２が本物であれば、認証装置３の判断処理手段３３による電子ペーパー２についての位置認証処理結果と機器認証処理結果は、認証（Ａ：Available ）となる。【００３９】
図８に示す偽造された電子ペーパー１０１については、認証装置３の判断処理手段３３による位置認証処理の結果は、認証（Ａ）となる。しかし、図７（Ｂ）に示す本物の電子ペーパー２の判断処理手段２３は、例えばＴＣＧチップ等によって実現されることから、偽造が困難である。また、本物の電子ペーパー２の機器ＩＤ情報は、例えば、当該判断処理手段２３内に記憶されているので、偽造された電子ペーパー１０１についての機器認証処理結果は、非認証（Ｎ／Ａ：Not Available ）となり、電子ペーパー１０１が偽造されたものであることが検出できる。同様に、図８に示す電子ペーパー１０２についての機器認証処理結果も、非認証（Ｎ／Ａ）となり、電子ペーパー１０２が偽造されたものであることが検出できる。なお、上述した電子ペーパー２の偽造検出手法と同様の手法によって、認証装置３の偽造を検出することができる。【００４０】
図９は、本発明の一実施形態によるデータの流れの一例を示す図である。電子ペーパー２の位置検知手段２１と認証装置３の位置検知手段３１とが、電子ペーパー２と認証装置３の相対的な位置を検知する。認証装置３の判断処理手段３３は、位置検知手段３１による位置検知結果にもとづいて、位置認証処理を行う。そして、判断処理手段３３は、位置認証処理結果と自装置（認証装置３）についての機器認証処理結果と、自装置（認証装置３）についての環境認証処理結果とに基づいて、情報表示手段３２に対して制御信号（表示指示情報又は非表示指示情報）を送出する。なお、電子ペーパー２内の情報表示手段２２は、例えば、位置検知手段２１による位置検知結果を表示するようにしてもよい。【００４１】
図１０は、本発明の一実施形態によるデータの流れの別の一例を示す図である。図１０に示す例では、電子ペーパー２が判断処理手段２３を備えており、判断処理手段２３が、位置検知手段２１による位置検知結果に基づいて、位置認証処理を行う。そして、判断処理手段２３は、位置認証処理結果と自装置（電子ペーパー２）についての機器認証処理結果と、自装置（電子ペーパー２）についての環境認証結果とに基づいて、情報表示手段２２に対して制御信号（表示指示情報又は非表示指示情報）を送出する。認証装置３についてのデータの流れは、図９を参照して前述したデータの流れと同様であるので、説明を省略する。【００４２】
図１１は、本発明の一実施形態によるデータの流れの別の一例を示す図である。電子ペーパー２の情報送受信手段２５が、認証装置３から情報（例えば、認証装置３の機器ＩＤ情報、表示指示情報、非表示指示情報、配置画像情報、情報表示手段２２によって表示される文字情報や画像情報等）を受信する。受信された情報は、情報記憶手段２４に記憶される。電子ペーパー２の判断処理手段２３が、位置検知手段２１による位置検知結果に基づいて位置認証処理を行う。また、判断処理手段２３が、例えば、情報記憶手段２４内に記憶された、認証装置３の機器ＩＤ情報に基づいて、認証装置３についての機器認証を行う。そして、判断処理手段２３は、位置認証処理結果と認証装置３についての機器認証処理結果と、自装置（電子ペーパー２）についての環境認証処理結果とに基づいて、情報表示手段２２に対して制御信号を送出する。判断処理手段２３が情報表示手段２２に対して送出する制御信号は、認証装置３から受信した表示指示情報又は非表示指示情報であってもよい。認証装置３内におけるデータの流れは、上述した電子ペーパー２内におけるデータの流れと同様であるので、説明を省略する。【００４３】
図１２は、電子ペーパーの構造の一例を示す図である。図１２に示すように、電子ペーパー２は、表面２−１、中面第一層２−２、中面第二層２−３、裏面２−４という層構造を有する。電子ペーパー２の表面２−１には、情報表示手段２２が設けられる。中面第一層２−２には、無線ＬＡＮカード２００等を備える情報送受信手段２５、ＴＣＧチップ２０１等を備える判断処理手段２３、情報記憶手段２４、電力供給手段２６が設けられる。なお、電力供給手段２６は、例えば、充電池、小型ボタン電池、太陽電池、電磁誘導による電力発生コイル等である。中面第二層２−３には、例えばパッシブ型のＲＦＩＤタグ等の位置検知手段２１が設けられる。なお、裏面２−４はカバーとして機能する。【００４４】
図１３は、認証装置の構造の一例を示す図である。図１３に示すように、認証装置３は、表面３−１、中面第一層３−２、中面第二層３−３、裏面３−４という層構造を有する。認証装置３の表面３−１には、情報表示手段３２が設けられる。中面第一層には、位置検知手段３１と電磁誘導コイル２０２とが設けられる。位置検知手段３１は、例えば、ＲＦＩＤタグリーダである。当該ＲＦＩＤタグリーダは、例えば、図１２に示す電子ペーパー２の中面第二層２−３に設けられるパッシブ型のＲＦＩＤタグ等の位置検知手段２１の識別情報を読み取る。電磁誘導コイル２０２は、例えば認証装置３が電磁誘導によって電子ペーパー２に電力を供給する場合に設置される。中面第二層３−３には、無線ＬＡＮカード２００等を備える情報送受信手段３５、ＴＣＧチップ２０１等を備える判断処理手段３３、情報記憶手段３４、電力供給手段３６が設置される。電力供給手段３６は、例えば、充電池、小型ボタン電池、太陽電池、電磁誘導による電力発生コイル等である。なお、裏面３−４はカバーとして機能する。【００４５】
図１４（Ａ）及び図１４（Ｂ）は、電子ペーパーと認証装置の断面の一例を示す図である。図１４（Ａ）に示す電子ぺーパー２の位置検知手段２１は、パッシブ型のＲＦＩＤタグである。また、認証装置３の位置検知手段３１は、ＲＦＩＤタグリーダである。図１４（Ａ）及び図１４（Ｂ）は、電子ペーパー２が認証装置３上に重ねられた例を示す。図１４（Ａ）に示すＲＦＩＤタグリーダ（位置検知手段）３１が、起電電波を位置検知手段（ＲＦＩＤタグ）２１に対して発信する。起電電波については、ＲＦＩＤタグ２１のサイズと厚さを小さくするため、また、例えば、情報送受信手段２５と情報送受信手段３５とが無線ＬＡＮ通信を行う際の電波との干渉を避けるため、例えば１３．５６ＭＨｚの周波数を用いる。ＲＦＩＤタグリーダ３１から当該起電電波を受けたＲＦＩＤタグ２１が、ＲＦＩＤタグ２１の識別情報（例えば、ＩＤ番号）を含む信号電波をＲＦＩＤタグリーダ３１に対して返し、ＲＦＩＤタグリーダ３１がＲＦＩＤタグ２１のＩＤ番号を読み取る。【００４６】
例えば、図１５に示すように、ＩＤ番号がＡ１のＲＦＩＤタグ２１−１、ＩＤ番号がＡ２のＲＦＩＤタグ２１−２、ＩＤ番号がＡ３のＲＦＩＤタグ２１−３という３個のＲＦＩＤタグ２１を備える電子ペーパー２が、４８個のＲＦＩＤタグリーダ３１を備える認証装置３上に重ねられると、電子ペーパー２は、認証装置３上において、図１５中の矢印の先に示すような位置に配置される。図１５中、認証装置３内のＲＦＩＤタグリーダ３１内に記述された番号は、ＲＦＩＤタグリーダ３１の識別番号である。図１５に示すように、ＩＤ番号がＡ１のＲＦＩＤタグ２１−１は識別番号が１４のＲＦＩＤタグリーダ３１上に配置され、ＩＤ番号がＡ２のＲＦＩＤタグ２１−２は識別番号が２０のＲＦＩＤタグリーダ３１上に配置され、ＩＤ番号がＡ３のＲＦＩＤタグ２１−３は識別番号が１５のＲＦＩＤタグリーダ３１上に配置されている。従って、例えば、識別番号が１４のＲＦＩＤタグリーダ３１はＡ１というＩＤ番号を読み取り、識別番号が１５のＲＦＩＤタグリーダ３１はＡ３というＩＤ番号を読み取り、識別番号２０のＲＦＩＤタグリーダ３１はＡ２というＩＤ番号を読み取る。【００４７】
図１４（Ａ）に戻って、認証装置３内のＴＣＧチップ２０１が、各ＲＦＩＤタグリーダ３１が読み取ったＩＤ番号が、予め設定された、電子ペーパー２が正しく認証装置３の配置画像上に重ねられた場合に各ＲＦＩＤタグリーダ３１が読み取るべきＲＦＩＤタグのＩＤ番号と合致するかを判断する。各ＲＦＩＤタグリーダ３１が読み取ったＩＤ番号が、上記の予め設定されたＩＤ番号と合致する場合は、ＴＣＧチップ２０１は、電子ペーパー２の位置を認証する。なお、本発明の一実施形態によれば、図１４（Ａ）において、電子ペーパー２が位置検知手段２１としてＲＦＩＤタグリーダを備え、認証装置３が位置検知手段３１としてＲＦＩＤタグを備えてもよい。【００４８】
図１４（Ｂ）に示す電子ぺーパー２は、位置検知手段２１としてＬＥＤを備え、認証装置３は、位置検知手段３１として光センサーを備える。図１４（Ｂ）に示すＬＥＤ（位置検知手段）２１が発光すると、光センサー（位置検知手段）３１がＬＥＤ２１から発せられた光信号を検知する。認証装置３内のＴＣＧチップ２０１が、光信号を検知した光センサー３１が、予め設定された、電子ペーパー２が正しく認証装置３の配置画像上に重ねられた場合に光信号を検知すべき光センサー３１と合致するかを判断する。光信号を検知した光センサー３１が、上記の予め設定された光センサーと合致する場合は、ＴＣＧチップ２０１は、電子ペーパー２の位置を認証する。【００４９】
図１６（Ａ）及び図１６（Ｂ）、図１７（Ａ）〜図１７（Ｃ）、図１８（Ａ）及び図１８（Ｂ）は、本発明の一実施形態による位置検知処理の一例を説明する図である。図１６（Ａ）に示すように、電子ペーパー２の中面第二層２−３には、ＬＥＤ２１が設けられている。なお、中面第二層２−３は、辺ａａ’が表面２−１の辺ｄｄ’と重なり、辺ｂｂ’が表面２−１の辺ｃｃ’と重なるように、表面２−１の背後に設けられる。また、図１６（Ｂ）に示す認証装置３には、例えば光センサー３１（図示を省略）が設けられている。図１６（Ａ）に示す構造を有する電子ペーパー２を図１６（Ｂ）に示す認証装置３上に表示された配置画像３０上に重ねると、電子ペーパー２は、図１７（Ａ）に示すように認証装置３の上に重なる。図１７（Ｂ）は、図１７（Ａ）に示される電子ペーパー２と認証装置３との重なり状態を、電子ペーパー２の下に隠れた認証装置３の光センサー３１が透けて見える形式で示す図である。図１７（Ｂ）に示す状態で電子ペーパー２が上に重なっている認証装置３においては、例えば、図１６（Ａ）に示す電子ペーパー２の中面第二層２−３に設けられたＬＥＤ２１に近接する光センサー３１がＬＥＤ２１からの光信号を検知する。例えば、図１７（Ｂ）に示すような状態で電子ペーパー２が上に重なっている認証装置３を示す図である図１７（Ｃ）中の、黒く塗りつぶした部分に示す光センサー３１は、ＬＥＤ２１からの光信号を検知せず、斜線部に示す光センサー３１だけがＬＥＤ２１からの光信号を検知する。認証装置３の判断処理手段３３（図１７では図示を省略）は、光信号を検知した光センサー３１が、予め設定された光センサーであって、電子ペーパー２が正しく認証装置３の配置画像３０上に重ねられた場合に光信号を検知すべき光センサーと合致するかを判断する。光信号を検知した光センサー３１が上記の予め設定された光センサーと合致する場合は、判断処理手段３３は、電子ペーパー２の位置を認証する。【００５０】
本発明の一実施形態によれば、図１６（Ａ）に示す電子ペーパー２の中面第二層２−３に、ＲＦＩＤタグ２１が設けられ、図１６（Ｂ）に示す認証装置３にＲＦＩＤタグリーダ３１（図示を省略）が設けられる。電子ペーパー２を認証装置３の上に重ねると、例えば図１８（Ａ）に示すような重なり状態となる。従って、電子ペーパー２の中面第二層２−３（図１６（Ａ）参照）に設けられたＲＦＩＤタグ２１に近接するＲＦＩＤタグリーダ３１（図１８（Ａ）に示すような状態で電子ペーパー２が上に重なっている認証装置３を示す図である図１８（Ｂ）中の、黒く塗りつぶした部分に示すＲＦＩＤタグリーダ３１）が、ＲＦＩＤタグ２１のＩＤ番号を読み取る。認証装置３は、ＲＦＩＤタグ２１のＩＤ番号を読み取ったＲＦＩＤタグリーダ３１が、予め設定されたＲＦＩＤタグリーダであって、電子ペーパー２が正しく認証装置３の配置画像３０上に重ねられた場合にＲＦＩＤタグ２１のＩＤ番号を読み取るべきＲＦＩＤタグリーダと合致するかを判断する。ＲＦＩＤタグ２１のＩＤ番号を読み取ったＲＦＩＤタグリーダ３１が、上記の予め設定されたＲＦＩＤタグリーダと合致する場合は、判断処理手段３３は、電子ペーパー２の位置を認証する。【００５１】
図１９（Ａ）〜図１９（Ｄ）、図２０（Ａ）〜図２０（Ｄ）は、電子ペーパーの操作例を説明する図である。図１９（Ｂ）に示すように、認証装置３上に長方形の配置画像３０が表示されると、例えば、ユーザは、図１９（Ａ）に示す電子ペーパー２を図１９（Ｂ）に示す認証装置３の方向に移動させて、電子ペーパー２の辺が認証装置３上に表示された配置画像３０の輪郭線に合うように、電子ペーパー２を当該認証装置３上に重ねる。その結果、電子ペーパー２と認証装置３とは、図１９（Ｃ）に示すような重なり状態となる。図１９（Ｃ）に示すような重なり状態では、電子ペーパー２が備えるＲＦＩＤタグ２１と認証装置３が備えるＲＦＩＤタグリーダ３１とは、図１９（Ｄ）に示すような位置関係となる。【００５２】
また、認証装置３上に、図２０（Ｂ）に示すような配置画像３０が表示されると、例えば、ユーザは、図２０（Ａ）に示す電子ペーパー２を、電子ペーパー２の辺が配置画像３０の輪郭線に合うように斜めに傾けて、認証装置３上に重ねる。その結果、電子ペーパー２と認証装置３とは、図２０（Ｃ）に示すような重なり状態となる。図２０（Ｃ）に示すような重なり状態では、電子ペーパー２が備えるＲＦＩＤタグ２１と認証装置３が備えるＲＦＩＤタグリーダ３１とは、図２０（Ｄ）に示すような位置関係となる。【００５３】
図２１（Ａ）〜図２１（Ｃ）は、電子ペーパーへの位置検知手段（例えば、ＲＦＩＤタグやＬＥＤ）の配置例を示す図である。本発明の一実施形態では、例えば電子ペーパー２に、様々な数の位置検知手段２１を様々な並びで配置する。なお、図示は省略するが、例えば、認証装置３に、様々な数の位置検知手段（例えば、ＲＦＩＤタグリーダや光センサー）３１を様々な並びで配置するようにしてもよい。【００５４】
図２２は、電子ペーパーと認証装置の重ね合わせの例を示す図である。電子ペーパー２が位置検知手段２１としてＲＦＩＤタグを備え、認証装置３が位置検知手段３１としてＲＦＩＤタグリーダを備える場合を例にとって説明する。図２２の左上の図と右上の図は、電子ペーパー２を認証装置３上に重ねたときの重なり状態を示している。図２２の左上の図に示すように、認証装置３には、ＲＦＩＤタグリーダ３１が、認証装置３の各辺に対して平行に並ぶように配置されているとする。例えば、予め、図２２の左上の図の中の点線で囲った３個のＲＦＩＤタグリーダ３１が電子ペーパー２が備えるＲＦＩＤタグ２１のＩＤ番号を読み取った場合に、認証装置３が表示指示情報を電子ペーパー２に対して送出するように設定しておく。【００５５】
ここで、図２２の左下の図中に示すような並びでＲＦＩＤタグ２１が配置された電子ペーパー２を、図２２の左上の図に示す認証装置３に重ねる場合、当該電子ペーパー２の側面と認証装置３の側面とが平行になるように重ねなければならない。そうでない場合、図２２の左上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００５６】
また、図２２の右下の図中に示すような並びでＲＦＩＤタグ２１が配置された電子ペーパー２を、図２２の左上の図に示す認証装置３に重ねる場合、当該電子ペーパー２の側面を認証装置３の側面に対して斜めに傾けて重ねなければならない。そうでない場合、図２２の左上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００５７】
また、本発明の一実施形態によれば、例えば、図２２の右上の図に示すように、認証装置３に、ＲＦＩＤタグリーダ３１が、認証装置３の各辺と所定の角度を成す並びで配置されている。また、例えば、予め、図２２の右上の図の中の点線で囲った３個のＲＦＩＤタグリーダ３１が電子ペーパー２が備えるＲＦＩＤタグ２１のＩＤ番号を読み取った場合に、認証装置３が表示指示情報を電子ペーパー２に対して送出するように設定しておく。【００５８】
ここで、図２２の右下の図中に示すような並びでＲＦＩＤタグ２１が配置された電子ペーパー２を、図２２の右上の図に示す認証装置３に重ねる場合、当該電子ペーパー２の側面と認証装置３の側面とが平行になるように重ねなければならない。そうでない場合、図２２の右上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００５９】
また、図２２の左下の図中に示すような並びでＲＦＩＤタグ２１が配置された電子ペーパー２を、図２２の右上の図に示す認証装置３に重ねる場合、当該電子ペーパー２の側面を認証装置３の側面に対して斜めに傾けて重ねなければならない。そうでない場合、図２２の右上の図の中の点線で囲った３個のＲＦＩＤタグリーダ３１が電子ペーパー２が備えるＲＦＩＤタグ２１のＩＤ番号を読み取らず、電子ペーパー２に情報が表示されない。【００６０】
本発明の他の実施の形態について、図２３（Ａ）〜図２３（Ｄ）を参照して説明する。図２３（Ａ）〜図２３（Ｄ）は、電子ペーパーが認証装置に重なった状態における、電子ペーパーと認証装置の断面を示している。本発明の一実施形態によれば、例えば図２３（Ａ）に示すように、認証装置３が、電子ペーパー２が認証装置３の上に重ねられた場合にＲＦＩＤタグ２１とＲＦＩＤタグリーダ３１との間に間隔を持たせるように構成された曲面を成している。電子ペーパー２を認証装置３に重ねた直後は、図２３（Ａ）中の点線の楕円で囲った部分に示すように、認証装置３の中心から離れた位置に配置されたＲＦＩＤタグリーダ３１と電子ペーパー２が備えるＲＦＩＤタグ２１との間隔が大きい。従って、当該ＲＦＩＤタグリーダ３１は、当該ＲＦＩＤタグ２１のＩＤ番号を読み取ることができない。ここで、ユーザが、電子ペーパー２の上部から認証装置３の方向に圧力を加えると、電子ペーパー２が認証装置３に対して押し付けられ、電子ペーパー２と認証装置３とは、図２３（Ｂ）に示すような重なり状態となる。図２３（Ｂ）に示すような重なり状態では、図２３（Ｂ）中の点線の楕円で囲った部分にあるＲＦＩＤタグリーダ３１と電子ペーパー２が備えるＲＦＩＤタグ２１との間隔は、当該ＲＦＩＤタグリーダ３１がＲＦＩＤタグ２１を検知できる所定の間隔となる。従って、当該ＲＦＩＤタグリーダ３１は、電子ペーパー２が備えるＲＦＩＤタグ２１のＩＤ番号を読み取ることができる。なお、認証装置３上に重ねられた電子ペーパー２の重みによって、電子ペーパー２が認証装置３に対して押し付けられた場合も同様である。【００６１】
また、本発明の一実施形態によれば、例えば、認証装置３が、図２３（Ｃ）に示すように、複数の部分で曲がっている。電子ペーパー２を認証装置３に重ねた直後は、図２３（Ｃ）中の点線で囲った部分にあるＲＦＩＤタグリーダ３１とＲＦＩＤタグ２１との間隔が大きい。従って、当該ＲＦＩＤタグリーダ３１は当該ＲＦＩＤタグ２１のＩＤ番号を読み取ることができない。ここで、ユーザが、電子ペーパー２の上部から認証装置３の方向に圧力を加えると、電子ペーパー２が認証装置３に対して押し付けられ、電子ペーパー２と認証装置３とは、図２３（Ｄ）に示すような重なり状態となる。従って、図２３（Ｄ）中の点線の楕円で囲った部分にあるＲＦＩＤタグリーダ３１と電子ペーパー２が備えるＲＦＩＤタグ２１との間隔は小さくなり、当該ＲＦＩＤタグリーダ３１は、電子ペーパー２が備えるＲＦＩＤタグ２１のＩＤ番号を読み取ることができる。なお、認証装置３上に重ねられた電子ペーパー２の重みによって、電子ペーパー２が認証装置３に対して押し付けられた場合も同様である。【００６２】
また、図２３（Ａ）〜図２３（Ｄ）では、認証装置３が曲面を成している場合を例にとって説明したが、電子ペーパー２が、認証装置３と重ねた場合にＲＦＩＤタグ２１とＲＦＩＤタグリーダ３１との間に間隔を持たせるように構成された曲面を成していてもよい。電子ペーパー２が曲面を成している場合も、図２３（Ａ）〜図２３（Ｄ）と同様である。即ち、例えば、ＲＦＩＤタグリーダ３１とＲＦＩＤタグ２１との間隔が当該ＲＦＩＤタグリーダ３１がＲＦＩＤタグ２１を検知できる所定の間隔となった時に、当該ＲＦＩＤタグリーダ３１はＲＦＩＤタグ２１のＩＤ番号を読み取る。【００６３】
図２４は、認証装置の表示指示情報送出処理フローの一例を示す図である。電子ペーパー２が認証装置３に重ねられると、認証装置３の位置検知手段３１が、電子ペーパー２の位置を検知する（ステップＳ１）。例えば、図２６のＳ１−１に示すように、認証装置３の位置検知手段３１は、電子ペーパー２が備える位置検知手段２１の識別情報の読み取り要求を行い、電子ペーパー２から送信された応答データに含まれる識別情報を読み取る（図２６のＳ１−２、Ｓ１−３参照）。次に、判断処理手段３３が、ステップＳ１の位置検知結果に基づいて、電子ペーパー２が所定の位置に重ねられたかを判断（位置認証処理）する（ステップＳ２、図２６のＳ２−１）。電子ペーパー２が所定の位置に重ねられていない場合には、ステップＳ１に戻る。電子ペーパー２が所定の位置に重ねられた場合には、判断処理手段３３が、電子ペーパー２との間で機器認証処理を行う（ステップＳ３）。例えば、図２６のＳ３−１に示すように、判断処理手段３３は、認証装置３の機器ＩＤとパスワードを暗号化して電子ペーパー２に送信する。電子ペーパー２は、図２６のＳ１１−１に示すように、認証装置３から受信したデータを復号し、予め設定されたデータと照合することで、認証装置３についての機器認証処理を行う。また、例えば、判断処理手段３３は、電子ペーパー２から送信された、電子ペーパー２の機器ＩＤとパスワードとが暗号化されたデータを復号し、予め設定されたデータと照合して、電子ペーパー２についての機器認証処理を行う（図２６のＳ１１−２、Ｓ３−２）。【００６４】
次に、判断処理手段３３は、電子ペーパー２と認証装置３とが相互に機器認証されたかを判断する（ステップＳ４）。電子ペーパー２と認証装置３とが相互に機器認証されない場合には処理を終了する。電子ペーパー２と認証装置３とが相互に機器認証された場合には、判断処理手段３３は、電子ペーパー２に対して表示指示情報を送出し（ステップＳ５、図２６のＳ５−１）、電子ペーパー２に情報を表示させる（図２６のＳ１４−１）。【００６５】
なお、認証装置３が電子ペーパー２に対して非表示指示情報を送出する際の処理フローは、上記ステップＳ５に替えて、判断処理手段３３が電子ペーパー２に対して非表示指示情報を送出する以外は、図２４に示す処理フローと同様である。【００６６】
図２５は、電子ペーパーの情報表示処理フローの一例を示す図である。電子ペーパー２の判断処理手段２３が、認証装置３との間で機器認証処理を行う（ステップＳ１１）。次に、判断処理手段２３が、電子ペーパー２と認証装置３とが相互に機器認証されたかを判断する（ステップＳ１２）。電子ペーパー２と認証装置３とが相互に機器認証されない場合には、ステップＳ１１に戻る。電子ペーパー２と認証装置３とが相互に機器認証された場合には、判断処理手段２３は、認証装置３から表示指示情報を受信したかを判断する（ステップＳ１３）。認証装置３から表示指示情報を受信しない場合には処理を終了する。認証装置３から表示指示情報を受信した場合には、判断処理手段２３は、情報表示手段２２に制御信号を送出して、文字情報や画像情報等を表示させる（ステップＳ１４）。【００６７】
なお、電子ペーパー２が情報を非表示にする際の処理フローは、上記ステップＳ１３に替えて、判断処理手段２３が認証装置３から非表示指示情報を受信したかを判断し、上記ステップＳ１４に替えて、判断処理手段２３が、情報表示手段２２に制御信号を送出して、文字情報や画像情報等を非表示にする以外は、図２５に示す処理フローと同様である。【００６８】
図２７（Ａ）及び図２７（Ｂ）は、本発明の他の実施の形態を示す図である。図２７（Ａ）及び図２７（Ｂ）に示す実施の形態では、電子ペーパー２と認証装置３とを、工事や設備維持管理をする場合における現場作業支援に利用する。例えば、工事現場等に配置された図２７（Ａ）に示す機器２１０の上面に、認証装置３を内蔵又は固定的に設置する。図２７（Ｂ）は、図２７（Ａ）に示す機器２１０の上面に設置された認証装置３を示す。認証装置３は、図２７（Ｂ）中に示すように、設備の配置図２１１を表示する。設備の配置図２１１に含まれる、「設備Ｓ０１」〜「設備Ｓ０９」の文字が記述された９個の画像の各々は、当該工事現場等における各設備の位置を示す画像であるとともに、電子ペーパー２を認証装置３上に重ねる際に用いる配置画像３０である。「設備Ｓ０１」〜「設備Ｓ０９」は、工事現場等に配置された各設備の名称を示している。現場作業者が、電子ペーパー２をある配置画像３０に重ねると、認証装置３によって電子ペーパー２についての位置認証処理が行われ、当該配置画像３０に記述された設備名を持つ設備に関する情報が電子ペーパー２上に表示される。【００６９】
例えば、図２７（Ｂ）中の矢印で示すように、現場作業者が、電子ペーパー２の左上の隅が「設備Ｓ０７」という文字が記述された配置画像の左上の隅に合うように、電子ペーパー２を認証装置３の上に重ねる。これに応じて、電子ペーパー２上に、設備Ｓ０７という設備名を持つ設備に関する詳細な情報（例えば、当該設備の故障情報、当該設備についての作業指示情報、作業履歴情報、当該設備への入室手順に関する情報等）が表示される。【００７０】
上述した本発明の実施の形態を利用することにより、例えば、関係者以外に対して秘密が保持されるべき通信設備、電力設備、ガス設備、原子力設備、水道設備、空調設備、軍事設備等に関する情報について、セキュリティを確保しつつ、関係者によって簡便な操作で当該情報を電子ペーパー２上に表示させることができる。【００７１】
図２８は、本発明の他の実施の形態を示す図である。図２８に示す実施の形態では、例えば、電子ペーパー２をアンケート用紙として利用する。例えば、アンケート会場等において、図２８（Ａ）に示すユーザ３００が、アンケート用紙としての電子ペーパー２（の情報記憶手段２４）に、アンケートに対する回答を入力し、当該電子ペーパー２上に回答内容を表示させる。この後、図２８（Ｂ）に示すように、例えば、ユーザ３００（又はアンケート用紙の回収者）が、電子ペーパー２に対して非表示指示情報を送出するように設定された認証装置３上に電子ペーパー２を重ねる。これに応じて、当該電子ペーパー２上において、回答内容が非表示状態となる。回答内容が非表示状態となった電子ペーパー２は、部外者が参照できなくなり、電子ペーパー２をアンケート会場の外部に持ち運ぶ場合のセキュリティを確保できる。図２８（Ｃ）に示すように、当該電子ペーパー２は、電子ペーパー２に対して表示指示情報を送出するように設定された認証装置３上に重ねられると、回答内容を表示し、表示された回答内容は、集計分析処理に利用される。【００７２】
この本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【産業上の利用可能性】
【００７３】
本発明の情報表示装置及び情報表示方法によれば、電子ペーパーと認証装置とを重ねることで、電子ペーパー上又は認証装置上に文字情報又は画像情報を表示することができる。この結果、電子ペーパーと認証装置とを重ねるという簡便な操作でセキュリティ確保のための認証を行って、認証結果に応じて電子ペーパー上又は認証装置上への情報の表示を行うことが可能となる。また、電子ペーパーと認証装置との位置関係を所定の相対的な位置とした場合にのみ電子ペーパー上又は認証装置上に情報を表示するので、セキュリティ強度を高くすることができ、情報漏洩が生ずる危険を少なくすることができる。【００７４】
また、本発明の情報表示装置によれば、情報表示装置のユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。また、本発明の情報表示装置によれば、電子ペーパーを認証装置に単純に重ねただけでは、電子ペーパー上又は認証装置上に情報が表示されないようにすることができる。従って、例えば、ユーザが、電子ペーパーと認証装置とを重ねて、カバン、袋、引き出し又は保存用のバインダー等に保管収容しようとする際に、ユーザの意志に反して電子ペーパーに情報が表示されることがないようにすることができる。【００７５】
また、本発明の情報表示装置によれば、電子ペーパーと認証装置とを重ねるという簡便な操作でセキュリティ確保のための認証を行って、認証結果に応じて電子ペーパー上又は認証装置上に表示されている情報を非表示にすることが可能となる。【００７６】
また、本発明の情報表示装置によれば、偽造された電子ペーパー又は認証装置は認証されない。この結果、本発明の情報表示装置によれば、情報漏洩が生ずる危険をさらに少なくすることができる。
【図１】
0004809422.tif 000002
【図２】
0004809422.tif 000003
【図３】
0004809422.tif 000004
【図４】
0004809422.tif 000005
【図５】
0004809422.tif 000006
【図６】
0004809422.tif 000007
【図７】
0004809422.tif 000008
【図８】
0004809422.tif 000009
【図９】
0004809422.tif 000010
【図１０】
0004809422.tif 000011
【図１１】
0004809422.tif 000012
【図１２】
0004809422.tif 000013
【図１３】
0004809422.tif 000014
【図１４】
0004809422.tif 000015
【図１５】
0004809422.tif 000016
【図１６】
0004809422.tif 000017
【図１７】
0004809422.tif 000018
【図１８】
0004809422.tif 000019
【図１９】
0004809422.tif 000020
【図２０】
0004809422.tif 000021
【図２１】
0004809422.tif 000022
【図２２】
0004809422.tif 000023
【図２３】
0004809422.tif 000024
【図２４】
0004809422.tif 000025
【図２５】
0004809422.tif 000026
【図２６】
0004809422.tif 000027
【図２７】
0004809422.tif 000028
【図２８】
0004809422.tif 000029